(57)【要約】【課題】呼出理由の記録を行う際に、患者に不快な思いをさせず、看護行為が終了した直後に記録を行うことができるようにする。【解決手段】ベッドサイドに患者情報を表示させておき、呼び出しが行われるとそれを示す第二の画面を表示し、応答が行われると呼出理由の候補を一覧表示した第三の画面を表示して、各候補の近傍に復旧機能を有する呼出理由選択ボタン１５を設置している。そして、呼出理由選択ボタン１５が操作されると、その近傍に表示されている呼出理由を記録し、システムを復旧させて、表示部１４の表示を第一の画面に戻すようにしている。これにより、表示部１４の近傍の呼出理由選択ボタン１５の操作により適切な呼出理由が記録されるので、医療従事者は携帯端末を利用せずに呼出理由を記録することができ、患者に不快な思いをさせないようにすることができる。また、医療従事者は看護行為が終了した直後に記録を行うことができる。【選択図】図２
2013255611.tif 000002
【特許請求の範囲】
【請求項１】
ナースコール子機による呼び出しに対して、ナースコール親機での応答では復旧せず、前記ナースコール子機の近傍での復旧の操作によって復旧するナースコールシステムに接続されたベッドサイド表示装置であって、
ナースコール子機による呼び出し、および、この呼び出しに対するナースコール親機での応答を検出する検出部と、
患者のベッドサイドに設置され、その患者の患者情報を含む第一の画面、その患者がナースコール子機による呼び出しを行っていることを表示する第二の画面、その患者がナースコール子機による呼び出しを行った理由を示す複数の呼出理由の候補を一覧表示する第三の画面の何れかを選択的に表示する表示部と、
前記表示部に第三の画面が表示されている場合に、前記複数の呼出理由の候補の近傍にそれぞれ配置された呼出理由選択ボタンと、
前記検出部が前記ナースコール子機による呼び出し、および、前記呼び出しに対するナースコール親機での応答の何れも検出していない場合に、前記第一の画面を前記表示部に表示させ、前記検出部が前記ナースコール子機による呼び出しを検出した場合に、前記第二の画面を前記表示部に表示させ、前記検出部が前記呼び出しに対するナースコール親機での応答を検出した場合に、前記第三の画面を前記表示部に表示させ、この状態で、前記呼出理由選択ボタンの何れかが操作されると、操作された呼出理由選択ボタンの近傍に表示されている呼出理由に対応する呼出理由情報を前記ナースコールシステムに出力するとともに、前記ナースコールシステムを復旧させ、前記表示部に前記第一の画面を表示させる制御部と、
を備えたことを特徴とするベッドサイド表示装置。
【発明の詳細な説明】
【技術分野】
【０００１】
本発明は、病院などで患者が居るベッドの近傍に設置されるベッドサイド表示装置に関し、特に、患者からの要求に応じて看護師を呼び出すナースコールシステムに適用されるベッドサイド表示装置に関する。
【背景技術】
【０００２】
従来、病院などの施設では、患者が看護師を呼び出すために、ナースコールシステムが使用されている。ナースコールシステムは、患者の居るベッドの近傍（例えば、ベッドサイドなど）に設置されたナースコール子機と看護師などの医療従事者（以下、単に医療従事者と記載する）が居るナースステーションなどに設置されたナースコール親機とを有線や無線などにより接続して構成されている。また、ナースコール子機とナースコール親機との間には廊下灯や制御機などが接続されている。
【０００３】
ここで、ナースコール子機は、ボタン状の呼出操作部を備えており、この呼出操作部を操作することで、呼出信号を出力する。また、ナースコール親機は、ナースコール子機から呼出信号を入力すると報知を行う。また、ナースコール子機に通話機能が搭載されている場合には、ナースコール親機により報知が行われている状態で、ナースコール親機に設けられたハンドセットをオフフックすることで、ナースコール親機とナースコール子機との間で通話が可能となる。このとき、ナースコール親機により行われていた報知が停止する。この状態でハンドセットをオンフックすると、ナースコール親機とナースコール子機との間の通話が終了する。
【０００４】
また、廊下灯は、病室などの部屋の出入口近傍の廊下側の壁面に取り付けられている。また、廊下灯は、取り付けられている病室の番号やその病室に入院している患者の氏名などの患者情報を表示している。また、廊下灯は、ナースコール親機と連動しており、患者がナースコール子機の呼出操作部を操作して生成された呼出信号は、廊下灯にも入力される。呼出信号を入力した廊下灯は内蔵したランプを点滅（または点灯）させる。これにより、医療従事者は、呼び出しを行った患者が居る病室を廊下に居ながらにして特定することができる。
【０００５】
ところで、ナースコールシステムの中には、廊下灯が点滅（または点灯）している状態で、ナースコール親機に設けたハンドセットがオフフックされて応答が行われても、廊下灯を点滅（または点灯）させたままとするものがある。このナースコールシステムでは、廊下灯やナースコール子機の近傍に設けた復旧操作部を操作するまで、廊下灯を点滅（または点灯）させたままにしている。また、ナースコールシステムの中には、ナースコール子機により呼び出しが行われた状態で、ナースコール親機に設けたハンドセットがオフフックされて応答が行われても、廊下灯やナースコール子機の近傍に設けた復旧操作部が操作されるまで、同じナースコール子機により次の呼び出しが行えないようにしたものもある。これらのナースコールシステムは、現場で復旧の操作が行われるまで通常の待機状態に戻らないことから、現場復旧のナースコールシステムと呼ばれている。
【０００６】
このような現場復旧のナースコールシステムでは、患者からの呼び出しに応答した医療従事者は、患者からの要請だけではなく、ナースコールシステムを復旧するためにも、患者の居る病室に行く必要があると感じる。そのため、医療従事者が患者の居る病室へ行く可能性が高くなる。
【０００７】
なお、上述した従来技術において、ナースコール親機に加えて、医療従事者によって携行される携帯端末を用いて、ナースコール親機の報知の機能、ハンドセットの機能を実行できるものも知られている。
【０００８】
また、ナースコールシステムでは、患者がどのような理由で呼び出しを行ったのか（以下、呼出理由と記載する）を呼出履歴として記録しておくことが行われていた。これにより、患者に対する看護方針を決めたり、患者の状況を予測したりして看護に役立てていた。上述したような呼出理由を入力する場合、患者からの呼び出しに対して患者の居る病室に赴いて何らかの看護を行った医療従事者が、その看護の終了後にナースステーションに戻って記録の操作を行うことが一般的であった（例えば、特許文献１を参照）。また、医療従事者が携行している携帯端末によって記録の操作を行うことも行われていた。
【０００９】
しかしながら、上述した特許文献１に記載の公知技術では、医療従事者がナースステーションに戻ってから記録の操作を行うため、呼出理由の入力を忘れるケースが生じてしまうという問題があった。また、携帯端末によって呼出理由の入力を行う場合には、患者の居る病室内で記録の操作を行うことができるものの、患者の目の前で携帯端末を操作する行為が患者に快く思われないケースが生じてしまうという問題があった。
【先行技術文献】
【特許文献】
【００１０】
【特許文献１】特開平１１−１４３９７２号公報
【発明の概要】
【発明が解決しようとする課題】
【００１１】
本発明は、このような問題を解決するために成されたものであり、医療従事者が呼び出しを行った患者の居る病室へ行く可能性を高くしつつ、呼出理由の入力を行う際に、医療従事者が患者に不快な思いをさせないようにすることができるとともに、患者への看護行為が終了した直後に呼出理由の入力を行うことができるようにすることを目的とする。
【課題を解決するための手段】
【００１２】
上述した課題を解決するために、本発明では、現場復旧のナースコールシステムに接続されたベッドサイド表示装置であって、患者のベッドサイドに設置された表示部に患者情報を表示させておき、ナースコール子機による呼び出しが行われると呼び出しが行われていることを表示部に表示し、ナースコール親機にて応答が行われると呼出理由の複数の候補を表示部に一覧表示して、各候補の近傍に復旧機能を有する呼出理由選択ボタンを設置している。そして、呼出理由選択ボタンが操作されると、呼出理由選択ボタンの近傍に表示されている呼出理由を示す呼出理由情報をナースコールシステムへ出力するとともに、ナースコールシステムを復旧させて、表示部の表示を患者情報の表示へ戻すようにしている。
【発明の効果】
【００１３】
上記のように構成した本発明によれば、表示部に一覧表示された呼出理由の候補の中から呼出理由選択ボタンの操作により適切な呼出理由が入力されるので、医療従事者が携帯端末を利用せずに呼出理由を入力することができる。そのため、医療従事者が患者の近くで携帯端末を操作する必要がなくなり、患者に不快な思いをさせないようにすることができる。また、医療従事者が患者の居るベッドの近傍に設置された表示部の近傍の呼出理由選択ボタンを操作することで呼出理由が入力されるので、医療従事者は、患者への看護行為が終了した直後に記録の操作を行うことができる。また、呼出理由選択ボタンが操作されることでナースコールシステムが復旧するため、呼出理由選択ボタンの操作を医療従事者に促すことができる。従って、医療従事者が呼び出しを行った患者の居る病室へ行く可能性を高くすることができる。
【図面の簡単な説明】
【００１４】
【図１】本実施形態によるベッドサイド表示装置を含むナースコールシステムの構成例を示すブロック図である。
【図２】本実施形態によるベッドサイド表示装置の表示例を示す図
【発明を実施するための形態】
【００１５】
以下、本発明の一実施形態を図面に基づいて説明する。図１は、本実施形態によるベッドサイド表示装置１０を含むナースコールシステムの構成例を示すブロック図である。図１に示すように、本実施形態によるナースコールシステムは、ナースコール子機１、ベッドサイド表示装置１０、ナースコール親機２０を備えて構成されている。また、本実施形態によるナースコールシステムは、他の標準的な構成要素として、例えば、病室などの部屋の出入口近傍の廊下側の壁面に取り付けられており、ベッドサイド表示装置１０とナースコール親機２０との間に接続されている廊下灯（図示せず）、ナースコール子機１とナースコール親機２０との間の通信を制御する制御機（図示せず）が接続されている。
【００１６】
また、本実施形態によるナースコールシステムは、病院内の通信センターに設置されるハンディナースコール主装置（図示せず）、構内交換機（ＰＢＸ：Private Branch Exchange、図示せず）、公衆網（図示せず）、無線ユニット（図示せず）を備えている。ここで、ハンディナースコール主装置には無線ユニットが接続されている。また、ＰＢＸは、公衆網に接続されている。ハンディナースコール主装置は、例えば、構内ＰＨＳ（Personal
Handy-phone System）対応の交換機からなるもので、内部制御部やタイムスイッチの他に、複数の内線と、局線と、保守とを備える。ここで、ハンディナースコール主装置の内線にはそれぞれ無線ユニットの無線基地局が接続されている（何れも図示せず）。無線基地局は、それぞれ無線エリアを形成し、この無線エリア内に存在するＰＨＳなどの携帯端末との間で無線回線を介して接続されている。また、ハンディナースコール主装置の局線には構内交換機が接続されている。また、ＰＨＳなどの携帯端末は、医療従事者によって携行される。
【００１７】
ナースコール子機１およびベッドサイド表示装置１０は、患者の居る病室のベッドの近傍に設置されている。ここで、ナースコール子機１は、患者の居る病室のベッド近傍の壁面に設置されたウォールユニットに有線にて接続されており、子機制御部２、呼出操作部３、子機インターフェース４を備えて構成されている。また、ベッドサイド表示装置１０は、患者の居る病室のベッドの近傍の壁面や、ベッドの周辺に設置されており、制御部１１、インターフェース１２、検出部１３、表示部１４、呼出理由選択ボタン１５を備えて構成されている。また、ナースコール親機２０は、医療従事者が常駐するナースステーションなどに設置されており、親機制御部２１、親機インターフェース２２、記憶部２３、報知部２４、応答操作部２５を備えて構成されている。
【００１８】
まず、ナースコール子機１の構成要素を説明する。子機制御部２は、ナースコール子機１の各構成要素を後述するように制御するためのものであり、ＣＰＵ（Central Processing Unit）などにより構成されている。呼出操作部３は、患者が医療従事者を呼び出す際に操作するためのものであり、呼出ボタンなどにより構成されている。子機インターフェース４は、ベッドサイド表示装置１０のインターフェース１２を介してナースコール親機２０の親機インターフェース２２に接続されており、ナースコール子機１とベッドサイド表示装置１０とナースコール親機２０とを電気的に接続する。ここで、患者が医療従事者を呼び出したい場合に、患者は呼出操作部３を操作する。すると、子機制御部２は呼出信号を生成する。
【００１９】
ここで、呼出信号には、このナースコール子機１を他のナースコール子機１と識別するための子機識別情報が含まれる。また、子機識別情報としては、ベッド番号などの情報が用いられる。また、子機インターフェース４は、子機制御部２により生成された呼出信号をベッドサイド表示装置１０およびナースコール親機２０に出力する。
【００２０】
また、ベッドサイド表示装置１０およびナースコール親機２０の間には、図示しない廊下灯が設置されている。廊下灯は、病室の出入り口近傍の廊下側の壁面に設置されており、設置されている病室の番号やその病室に入院している患者の氏名などの患者情報を表示している。また、廊下灯は、ランプを備えており、ナースコール子機１から呼出信号を入力すると、ランプを点滅（または点灯）させる。ここで、ナースコール子機１により呼び出しが行われると、ナースコール親機２０の応答操作部２５が操作されても、廊下灯のランプは点滅（または点灯）したままとなる。また、ベッドサイド表示装置１０から復旧信号を入力した場合に、廊下灯はランプを消灯させる。
【００２１】
次に、ベッドサイド表示装置１０の構成要素を説明する。制御部１１は、ベッドサイド表示装置１０の各構成要素を後述するように制御するためのものであり、ＣＰＵなどにより構成されている。インターフェース１２は、ナースコール子機１の子機インターフェース４およびナースコール親機２０の親機インターフェース２２に接続されており、ナースコール子機１とベッドサイド表示装置１０とナースコール親機２０とを電気的に接続する。
【００２２】
検出部１３は、ナースコール子機１により呼び出しが行われたことを検出するとともに、この呼び出しに対してナースコール親機２０により応答が行われたことを検出する。具体的には、インターフェース１２がナースコール子機１から呼出信号を入力した場合には、検出部１３は、ナースコール子機１により呼び出しが行われたことを検出する。また、インターフェース１２がナースコール親機２０から応答信号を入力した場合には、検出部１３は、ナースコール親機２０により応答が行われたことを検出する。
【００２３】
表示部１４は、通常のディスプレイや電子ペーパーなどにより構成されており、後述する第一の画面、第二の画面、第三の画面を選択的に表示する。ここで、図２（ａ）に示すように、第一の画面は、病室の番号を含むベッド番号、患者が入院している診療科、患者の氏名、患者を担当する医師の氏名、患者を担当する看護師（本実施形態の医療従事者に該当する）の氏名、患者の入院期間により構成されている。なお、第一の画面で必須となる表示は、ベッド番号および患者の氏名である。これにより、ベッドサイド表示装置１０が設置されたベッドに居る患者を特定することが可能となる。
【００２４】
また、図２（ｂ）に示すように、第二の画面は、ベッド番号、患者の氏名、医師の氏名、看護師の氏名に加えて、ナースコール子機１により呼び出しが行われていることを示す表示により構成されている。なお、第二の画面で必須となる表示は、ベッド番号、患者の氏名および呼び出しが行われていることを示す表示である。また、図２（ｃ）に示すように、第三の画面は、ベッド番号および患者の氏名に加えて、呼出理由を選択するための複数の項目を一覧表示している。呼出理由としては、「注射」、「与薬」、「トイレ介助」、「体位交換」、「身体を拭く」、「水分補給」、「点滴の終了」などの項目がある。また、「次へ」を選択することで、上述した項目以外の呼出理由を一覧表示することができる。なお、「次へ」の項目は、呼出理由の項目が一つの画面に収まらない場合にのみ表示される。
【００２５】
呼出理由選択ボタン１５は、ナースコール子機１により行われた呼び出しの理由を選択して入力するために操作されるもので、上述した第三の画面の呼出理由の項目の数だけ存在し、呼出理由の項目の近傍にそれぞれ設置されている。ここで、インターフェース１２が呼出信号および応答信号を入力した後に呼出理由選択ボタン１５が操作されると、制御部１１は、復旧信号を生成し、インターフェース１２により出力する。このように、呼出理由選択ボタン１５がベッドサイド表示装置１０に設けられていることから、本実施形態のベッドサイド表示装置１０を含むナースコールシステムは、現場復旧のシステムであるといえる。
【００２６】
次に、ナースコール親機２０の構成要素について説明する。親機制御部２１は、ナースコール親機２０の各構成要素を後述するように制御するためのものであり、ＣＰＵなどにより構成されている。親機インターフェース２２は、ベッドサイド表示装置１０のインターフェース１２を介してナースコール子機１の子機インターフェース４に接続されており、ナースコール親機２０とベッドサイド表示装置１０とナースコール子機１とを電気的に接続する。また、親機インターフェース２２は、ナースコール子機１から出力された呼出信号を、ベッドサイド表示装置１０を介して入力する。
【００２７】
記憶部２３は、メモリやハードディスクドライブなどの記憶装置により構成されており、各ナースコール子機１の子機識別情報と患者を識別するための患者識別情報（例えば、患者の氏名など）とを対応付けて記憶している。また、ナースコール子機１により呼び出しが行われたことを呼出履歴として記憶する。ここで、呼出履歴には、呼び出しを行った患者の氏名、呼び出しが行われた日時、呼出理由、応答した医療従事者の氏名などが含まれる。
【００２８】
報知部２４は、スピーカーなどの音声出力装置や表示ディスプレイなどの表示装置、ランプなどの点灯装置の少なくとも一つの装置により構成されている。ここで、親機インターフェース２２がナースコール子機１から呼出信号を入力した場合に、親機制御部２１は報知部２４を動作させる。このとき、親機制御部２１は、入力した呼出信号に含まれる子機識別情報に関連付けて記憶部２３に記憶されている患者識別情報を読み出し、スピーカーから報知音を出力させたり、表示ディスプレイに呼び出しが行われていることおよび呼び出しを行った患者の患者識別情報を表示させたり、ランプを点滅（または点灯）させたりする。
【００２９】
応答操作部５は、報知部２４が動作している状態で操作されるもので、例えば、ハンドセットとフックスイッチとを組み合わせて構成される。報知部２４が動作している状態で応答操作部２５が操作される（ハンドセットがオフフックされる）と、親機制御部２１は、報知部２４の動作を停止させるとともに、呼び出しを行ったナースコール子機１とナースコール親機２０との間で通話路を形成する。また、親機制御部２１は、応答信号を生成して、親機インターフェース２２によりベッドサイド表示装置１０へ出力する。その後、応答操作部２５が再び操作される（ハンドセットがオンフックされる）と、親機制御部２１は、形成されていた通話路を切断する。
【００３０】
このように構成されたベッドサイド表示装置１０を含むナースコールシステムにおいて、あるナースコール子機１の呼出操作部３が操作されると、子機制御部２は、そのナースコール子機１の子機識別情報を含む呼出信号を生成して、子機インターフェース４により出力する。
【００３１】
上述したナースコール子機１の近傍に設置されているベッドサイド表示装置１０では、インターフェース１２が呼出信号を入力する。すると、制御部１１は、今まで表示部１４に表示されていた第一の画面（図２（ａ）を参照）に代えて、第二の画面（図２（ｂ）を参照）を表示部１４に表示する。
【００３２】
一方、呼出信号は、ベッドサイド表示装置１０のインターフェース１２を介してナースコール親機２０の親機インターフェース２２へと出力される。また、呼出信号は、ベッドサイド表示装置１０が設置されている病室に設置された廊下灯にも出力される。呼出信号を入力した廊下灯は、ランプを点滅（または点灯）させる。
【００３３】
ナースコール親機２０では、親機インターフェース２２が呼出信号を入力する。すると、親機制御部２１は記憶部２３を参照して、呼出信号に含まれる子機識別情報に関連付けて記憶されている患者識別情報を抽出し、報知部２４を動作させる。また、親機制御部２１は、現在日時を出力するカレンダー装置（図示せず）などから現在日時情報を取得し、抽出していた患者識別情報とともに呼出履歴情報として記憶部２３に記憶させる。
【００３４】
報知部２４の動作に気付いた医療従事者が応答操作部２５を操作すると、親機制御部２１は、報知部２４の動作を停止させるとともに、応答信号を生成して親機インターフェース２２によりベッドサイド表示装置１０へ出力する。また、親機制御部２１は、呼出信号を出力したナースコール子機１とナースコール親機２０との間で通話路を形成する。ここで、廊下灯のランプは点滅（または点灯）したままである。
【００３５】
ベッドサイド表示装置１０では、インターフェース１２が応答信号を入力する。すると、制御部１１は、今まで表示部１４に表示されていた第二の画面（図２（ｂ）を参照）に代えて、第三の画面（図２（ｃ）を参照）を表示部１４に表示する。また、ナースコール子機１とナースコール親機２０との間で通話路が形成されているため、ナースコール子機１を使用している患者と応答操作部２５を操作した医療従事者との間で会話が可能となる。
【００３６】
この状態で、医療従事者は、「今から行きます」などと会話をした後、応答操作部２５を再び操作する。応答操作部２５が再び操作されると、親機制御部２１は、形成されていた通話路を切断する。また、応答操作部２５を操作した医療従事者は、呼び出しを行ったナースコール子機１が設置されている病室へ赴く。この間、表示部１４には図２（ｃ）に示す画面が表示されたままとなる。
【００３７】
病室に到着した医療従事者は、適切な看護行為を行い、患者の呼び出しに対処する。これにより、患者の呼出理由を把握することができる。このように、患者の呼出理由を把握した医療従事者は、表示部１４に表示されている図２（ｃ）に示す画面を参照して、適切な呼出理由を呼出理由選択ボタン１５によって選択操作する。
【００３８】
すると、制御部１１は、選択操作された呼出理由選択ボタン１５の設置位置とその近傍に表示されている呼出理由を呼出理由情報としてインターフェース１２から出力する。このとき、呼出理由情報には子機識別情報が含まれる。ナースコール親機２０では、親機インターフェース２２が呼出理由情報を入力する。すると、親機制御部は、入力した呼出理由情報に含まれる子機識別情報を抽出し、記憶部２３を参照して、その子機識別情報に関連付けて記憶されている患者識別情報を持つ直近の呼出履歴情報に対して呼出理由情報を追記する。
【００３９】
このように、呼出理由選択ボタン１５が操作されると、制御部１１は、今まで表示部１４に表示されていた第三の画面（図２（ｃ）を参照）に代えて、第一の画面（図２（ａ）を参照）を表示部１４に表示する。また、呼出理由選択ボタン１５が選択操作されると、制御部１１は復旧信号を生成し、インターフェース１２により出力する。この復旧信号を入力した廊下灯は、ランプを消灯させる。
【００４０】
以上の動作により、記憶部２３には、呼び出しを行った患者の氏名、呼び出しが行われた日時、呼出理由が履歴情報として記録される。また、同時に廊下灯も復旧される。なお、呼び出しに対応した医療従事者の情報は、後で入力するようにしても良いし、医療従事者にタグを携行させて、それを病室や応答操作部１５の近傍に設けた読取装置（図示せず）で読み取って記録するようにしても良い。
【００４１】
以上詳しく説明したように、本実施形態によれば、現場復旧のナースコールシステムに接続されたベッドサイド表示装置１０であって、患者のベッドサイドに設置された表示部１４に患者情報を表示させておき、ナースコール子機１による呼び出しが行われると呼び出しが行われていることを示す第二の画面を表示部１４に表示し、ナースコール親機２０にて応答が行われると呼出理由の複数の候補を表示部１４に一覧表示した第三の画面を表示して、各候補の近傍に復旧機能を有する呼出理由選択ボタン１５を設置している。そして、呼出理由選択ボタン１５が操作されると、呼出理由選択ボタン１５の近傍に表示されている呼出理由を示す呼出理由情報をナースコール親機２０へ出力するとともに、ナースコールシステムを復旧させて、表示部１４の表示を第一の画面に戻すようにしている。
【００４２】
これにより、表示部１４に一覧表示された呼出理由の候補の中から呼出理由選択ボタン１５の操作により選択された呼出理由が入力されるので、医療従事者が携帯端末を利用せずに呼出理由を入力することができる。そのため、医療従事者が患者の近くで携帯端末を操作する必要がなくなり、患者に不快な思いをさせないようにすることができる。また、医療従事者が患者の居るベッドの近傍に設置された表示部１４の近傍の呼出理由選択ボタン１５を操作することで呼出理由が入力されるので、医療従事者は、患者への看護行為が終了した直後に呼出理由の入力を行うことができる。また、呼出理由選択ボタンが操作されることでナースコールシステムが復旧するため、呼出理由選択ボタンの操作を医療従事者に促すことができる。従って、医療従事者が呼び出しを行った患者の居る病室へ行く可能性を高くすることができる。また、呼出理由選択ボタン１５が操作されることでナースコールシステムが復旧するため、医療従事者が復旧の操作をわざわざ行う必要がなくなる。
【００４３】
なお、前述した実施形態では、ナースコール子機１の呼出操作部３が操作され、ナースコール親機２０の応答操作部２５が操作されても復旧の操作が行われるまで、廊下灯のランプが点滅（または点灯）したままである点を現場復旧と定義しているが、これに限定されない。例えば、復旧の操作が行われるまで、ナースコール子機１の呼出操作部３の操作を無効とする点を現場復旧と定義するようにしても良い。
【００４４】
また、前述した実施形態では、ナースコール親機２０の応答操作部２５が操作されても廊下灯のランプは点滅（または点灯）したままであるが、これに限定されない。例えば、応答操作部２５の操作により、廊下灯のランプが点滅から点灯に移行しても良いし、点灯から点滅に移行しても良い。
【００４５】
また、前述した実施形態では、ナースコール子機１に子機操作部３を設け、子機操作部３が操作された場合に子機制御部２が呼出信号を生成するようにしているが、これに限定されない。例えば、ナースコール子機１に患者の動作を検出する検出部を設け、検出部が患者の動作を検出した場合に子機制御部２が呼出信号を生成するようにしても良い。
【００４６】
また、前述した実施形態では、表示部１４が呼出理由選択ボタン１５の近傍に呼出理由の項目を必ず表示しているが、これに限定されない。例えば、一部の呼出理由選択ボタン１５に対して呼出理由の項目を表示させないようにしても良い。この場合、表示部１４は該当する項目を空白とし、その近傍に設置された呼出理由選択ボタン１５が操作された場合には、ナースコールシステムの復旧のみを行い、呼出理由を記録させないようにする。
【００４７】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００４８】
１    ナースコール子機
２    子機制御部
３    呼出操作部
４    子機インターフェース
１０    ベッドサイド表示装置
１１    制御部
１２    インターフェース
１３    検出部
１４    表示部
２０    ナースコール親機
２１    親機制御部
２２    親機インターフェース
２３    記憶部
２４    報知部
２５    応答操作部
【図１】
2013255611.tif 000003
【図２】
2013255611.tif 000004